(57)【要約】【課題】            外風の吹上がりで閉止状態のブレードがバタツカない、換気流を受けて開閉する開閉ブレードを持つ、構成の簡素な換気扇を得る。【解決手段】        送風機による換気流を受けて軸支部６を中心に垂直面内で回動して、ベルマウス状に拡開する吸込口を有する風洞３を開き、換気流のないときは、自重で垂下状態になって風洞３を閉止する開閉ブレード７を風洞３の室外側に備えた換気扇について、その開閉ブレード７の室外側外表に吹上げ外風に向き合う障壁１０を設ける。そして、障壁１０について、開閉ブレード７の上下方向中央部より自由端側に設ける。【選択図】          図２
2008241189.tif 000002
【特許請求の範囲】
【請求項１】
送風機による換気流を受けて軸支部を中心に垂直面内で回動して、ベルマウス状に拡開する吸込口を有する風洞を開き、換気流のないときは、自重で垂下状態になって同風洞を閉止する開閉ブレードを前記風洞の室外側に備えた換気扇であって、その開閉ブレードの室外側外表に吹上げ外風に向き合う障壁を設けた換気扇。
【請求項２】
請求項１に記載の換気扇であって、障壁を開閉ブレードの上下方向中央部より自由端側に設けた換気扇。
【請求項３】
請求項１又は請求項２のいずれかに記載の換気扇であって、障壁を立ちの低い平板態に構成した換気扇。
【請求項４】
請求項１〜請求項３までのいずれかに記載の換気扇であって、障壁の中央を外風の吹上げ方向に膨らませた換気扇。
【請求項５】
請求項１〜請求項４までのいずれかに記載の換気扇であって、複数枚の開閉ブレードが連動して動く構造で、各開閉ブレードの障壁に先端側に下傾する勾配を設けた換気扇。
【請求項６】
請求項１〜請求項５までのいずれかに記載の換気扇であって、障壁を開閉ブレードに一体に成形したリブで構成した換気扇。
【発明の詳細な説明】
【技術分野】
【０００１】
本発明は、送風機により形成される換気流の通る風洞の室外側に、換気流の有無によって開閉する開閉ブレードを有する換気扇に関するものである。
【背景技術】
【０００２】
室内外を仕切る隔壁に設置され、隔壁を貫通する貫通孔を通じて軸流送風機により換気する換気扇は、換気流の通る風洞の室外側にシャッター装置を備えたものが多い。シャッター装置は、一枚又は複数枚の軸支されたブレードで構成され、風洞の室外側開口端を開閉する。ブレードは、換気流の有無で開閉するものや、開閉装置で開閉するものがある（特許文献１及び特許文献２参照）。
【０００３】
【特許文献１】実公昭６０−２２２５０号公報
【特許文献２】実公昭５９−２３１９９号公報
【発明の開示】
【発明が解決しようとする課題】
【０００４】
特許文献２に示されているような換気扇では、シャッター装置のブレードは、常に閉じるように働くバネの力を受け、閉止状態においても外風でブレードがバタツク（開き気味になったり、閉じたりを繰り返す）ことは少ない。ブレードが換気流の有無で開閉する換気扇では、閉止状態のブレードは垂下状態にあり拘束されていないので、外風、特に吹き上がりの外風でバタツキ易い。特許文献１の換気扇では、こうしたブレードのバタツキを、ソレノイドの作動軸に設けられたバネの働きで防止している。しかしながら、ブレードの開放時にはバネに抗してソレノイドの作動軸を動かさなければならず、構成が複雑でコストも嵩む。作業場や畜鶏舎等の換気に供する換気扇としては、構成の簡素なものが好まれ、ソレノイド等を持たないシャッター装置を付けたものが普及しているが、ブレードの外風によるバタツキは回避できず、音に敏感な鶏などには外風によるブレードのバタツキ音が問題視されることが多い。
【０００５】
本発明は、上記した問題点を解決するためになされたものであり、その課題とするところは、外風の吹上がりで閉止状態のブレードがバタツカない、換気流を受けて開閉する開閉ブレードを持つ、構成の簡素な換気扇を得ることである。
【課題を解決するための手段】
【０００６】
上記課題を解決するために本発明は、送風機による換気流を受けて軸支部を中心に垂直面内で回動して、ベルマウス状に拡開する吸込口を有する風洞を開き、換気流のないときは、自重で垂下状態になって風洞を閉止する開閉ブレードを風洞の室外側に備えた換気扇について、その開閉ブレードの室外側外表に吹上げ外風に向き合う障壁を設ける手段を採用する。
【発明の効果】
【０００７】
本発明によれば、閉止状態の開閉ブレードの室外側外表に吹上げ外風が流れると、外風に向き合う障壁に外風の一部が遮られ、開閉ブレードを室内側へ押さえ付ける力が生じる。この力は、吹上げ外風が強いほど強まり、吹上げ外風による開閉ブレードのバタツキは防止され、バタツキ音も発生しない。
【発明を実施するための最良の形態】
【０００８】
本発明は、室内外を仕切る隔壁に設置され、隔壁に設けられた貫通孔を通じて室内の空気を軸流送風機によって吸込み、室外へ吹出す換気扇である。隔壁の室内側の取付け面に取付けられる本体フレームは、外枠と、外枠から室内側に延び、中心線方向に湾曲した数本の取付脚と、外枠に取付けられた風洞とからなる。風洞は、ベルマウス状に拡開する吸込口を有する。軸流送風機は、そのモーターが本体フレームの取付脚の中心部に設けられた取付部に取付けられ、風洞の中心線上に延出した回転軸にプロペラ式の羽根車が風洞内で回転するように装着されている。外枠には、換気流を受けて軸支部を中心に垂直面内で回動して、風洞の室外側開口端を開き、換気流のないときは、自重で垂下状態になって風洞の室外側開口端を閉止する複数枚の連動する開閉ブレードを有するシャッター装置が設けられている。各開閉ブレードは、連動するよう連結棒で連結され、それらの室外側外表には、開閉ブレードの上下方向中央部より自由端側に吹上げ外風に向き合う、立ち寸法１０ｍｍ程度の障壁が設けられている。
【０００９】
この換気扇は、軸流送風機の羽根車が風洞内で回転すると、風洞の吸込口に室内の空気が吸込まれる。そして、風洞内に換気流が形成される。換気流によってシャッター装置の各開閉ブレードは風圧を受け、軸支部を中心に垂直面内で回動して、風洞の室外側開口端を開く。これによって、室内の空気は室外へ排気され換気される。軸流送風機の羽根車が停止すると、換気流はなくなり、各開閉ブレードは自重で垂下状態になって風洞の室外側開口端を閉止する。この閉止状態の各開閉ブレードの室外側外表に吹上げ外風が流れると、外風に向き合う障壁に外風の一部が遮られ、開閉ブレードを室内側へ押さえ付ける力が生じる。この力は、吹上げ外風が強いほど強まり、吹上げ外風による開閉ブレードのバタツキは防止され、バタツキ音も発生しない。
【００１０】
実施の形態１．
図１は、本実施の形態の換気扇を示す正面図、図２は、換気扇を一部を破断して示す側面図、図３は、シャッター装置の一部を破断して示す側面図、図４〜図７は、それぞれ障壁の形態を示す説明図である。
【００１１】
本実施の形態の換気扇は、室内外を仕切る隔壁に設置され、隔壁に設けられた貫通孔を通じて室内の空気を軸流送風機によって吸込み、室外へ吹出し換気するものである。隔壁の室内側の取付け面に取付けられる本体フレームは、角形の外枠１と、外枠１から室内側に延び、中心線方向に湾曲した数本の取付脚２と、外枠１に取付けられた風洞３とからなる（図１，２参照）。風洞３は、ベルマウス状に拡開する吸込口を有する。軸流送風機は、そのモーター４が本体フレームの取付脚２の中心部に設けられた取付部に取付けられ、風洞３の中心線上に延出した回転軸にプロペラ式の板金製（プラスチック製も有る）の羽根車５が風洞３内で回転するように装着されている。
【００１２】
外枠１には、換気流を受けて軸支部６を中心に垂直面内で回動して、風洞３の室外側開口端を開き、換気流のないときは、自重で垂下状態になって風洞３の室外側開口端を閉止する複数枚の開閉ブレード７を有するシャッター装置８が設けられている（図２，３参照）。各開閉ブレード７は、連結棒９で連結され開閉について連動する。そして、それらの室外側外表には、開閉ブレード７の上下方向中央部より自由端側に吹上げ外風に向き合う、立ち寸法１０ｍｍ前後の障壁１０が設けられている。各開閉ブレード７は、板金製で一枚ずつについては、平面長方形状で、側板部に設けられた軸支部６側端縁の上に一つ上の開閉ブレード７の自由端縁が上から重なり、雨水の浸入が防止されている。従って、一枚の開閉ブレード７は、その軸支部６側端縁から自由端側へ向かって室外側へ向かう勾配を持っている。開閉ブレード７の自由端側は、図３に示すように室内側に湾曲されている。なお、開閉ブレード７については、軽量化を図る目的でプラスチックで構成されることもある。
【００１３】
この換気扇は、軸流送風機の羽根車５が風洞３内で回転すると、風洞３の吸込口に室内の空気が吸込まれる。そして、風洞３内に換気流が形成される。換気流によってシャッター装置８の各開閉ブレード７は風圧を受け、軸支部６を中心に垂直面内で回動して、風洞３の室外側開口端を開く。これによって、室内の空気は風洞３を通して室外へ排気され換気される。軸流送風機の羽根車５が停止すると、換気流はなくなり、各開閉ブレード７は自重で軸支部６において回転し垂下状態になって風洞３の室外側開口端を閉止する。この閉止状態の各開閉ブレード７の室外側外表に吹上げ外風が流れると、外風に向き合う障壁１０に外風の一部が遮られ、開閉ブレード７を室内側へ押さえ付ける力が生じる。この力は、吹上げ外風が強いほど強まり、吹上げ外風による開閉ブレード７のバタツキは防止され、バタツキ音も発生しない。障壁１０が無い場合、吹上げ外風は開閉ブレード７の室外側外表を勾配に沿って吹上がることになり、流速が速いため室内側より負圧になって開閉ブレード７の自由端側を開かせる（浮かせる）力が働くことになる。これによって、開閉ブレード７が開きかけたり、閉じたりを繰り返す、バタツキが起きバタツキ音も発生することになる。
【００１４】
障壁１０については、開閉ブレード７の上下方向中央部より自由端側に設けた方が軸支部６からのモーメントが長くなり、弱い吹上がり外風でも開くことを防止する力が生まれるので都合が良い。また、障壁１０を１０ｍｍ程度の立ちの低い平板態に構成し、図４のように板金製の場合は溶接により開閉ブレード７に取付けるか、プラスチック製の場合には一体成形により構成することにより、簡単に開閉ブレード７にバタツキ防止機能を持たせることができる。同様の観点から、図５に示すように開閉ブレード７に一体に成形したリブ１１で障壁１０を構成しても良い。さらには、障壁１０の中央を外風の吹上げ方向に図６のように膨らませ、外風を捕らえる機能を増長させることもできる。開閉ブレード７が複数枚でシャッター装置８が構成される場合、障壁１０は換気流の障害にもなり得る。この場合、図７に示すように、障壁１０の先端側を、勾配を付けて下傾させることにより、開閉ブレード７の開放時に障壁１０が換気流に対して下流側に倒れた形となり、換気流に対する障害は少なくなる。なお、いずれの場合も、障壁１０は横に連続した構造でも、断続した構造でも構わない。
【図面の簡単な説明】
【００１５】
【図１】換気扇を示す正面図である。（実施の形態１）
【図２】換気扇を一部を破断して示す側面図である。（実施の形態１）
【図３】シャッター装置の一部を破断して示す側面図である。（実施の形態１）
【図４】障壁の形態を断面で示す説明図である。（実施の形態１）
【図５】障壁の形態を断面で示す説明図である。（実施の形態１）
【図６】障壁の形態を平面で示す説明図である。（実施の形態１）
【図７】障壁の形態を断面で示す説明図である。（実施の形態１）
【符号の説明】
【００１６】
３  風洞、  ５  羽根車、  ６  軸支部、  ７  開閉ブレード、  １０  障壁、  １１  リブ。
【図１】
2008241189.tif 000003
【図２】
2008241189.tif 000004
【図３】
2008241189.tif 000005
【図４】
2008241189.tif 000006
【図５】
2008241189.tif 000007
【図６】
2008241189.tif 000008
【図７】
2008241189.tif 000009